(57)【要約】【課題】セルに割り当てたZadoff-Chu系列又はＧＣＬ系列を通知するシグナリング量を低減する移動局装置及び系列生成方法を開示する。【解決手段】複数の異なるＺＣ系列に１から順にインデックスを対応付け、インデックスが連続するようにセルに割り当てたＺＣ系列をＢＳからＵＥに通知する際、連続するインデックスの最初を示すスタートインデックスと割り当てた系列数とを合わせて割当系列情報として報知チャネルによって通知する。ＵＥは、ＺＣ系列とインデックスとの対応関係をＢＳと共有し、この対応関係とＢＳから通知された割当系列情報とから利用可能な系列番号を特定する。【選択図】図６
2011254504.tif 000002
【特許請求の範囲】
【請求項１】
系列番号に応じたドップラー広がりに対応する巡回シフト量が、全体的に最大値までの昇順の後に前記最大値からの降順となるように、連続する番号のインデックスが付された複数の系列のうち、前記インデックスが連続する少なくとも１つの系列の前記インデックスを受信する受信部と、
受信した前記インデックスに対応する系列から生成されたプリアンブル系列を送信する送信部と、
を有する移動局装置。
【請求項２】
前記ドップラー広がりに対応する巡回シフト量は、高速移動する移動局に対するドップラー広がりに対応する巡回シフト量である、
請求項１に記載の移動局装置。
【請求項３】
前記巡回シフト量は、前記系列番号に依存する、
請求項１又は請求項２に記載の移動局装置。
【請求項４】
系列番号に応じた所要巡回シフト量が、全体的に最大値までの昇順の後に前記最大値からの降順となるように、連続する番号のインデックスが付された複数の系列のうち、前記インデックスが連続する少なくとも１つの系列の前記インデックスを受信する受信部と、
受信した前記インデックスに対応する系列から生成されたプリアンブル系列を送信する送信部と、
を有する移動局装置。
【請求項５】
前記所要巡回シフト量は、高速移動する移動局に対する所要巡回シフト量である、
請求項４に記載の移動局装置。
【請求項６】
前記所要巡回シフト量は、ドップラー広がりに対応する巡回シフト量以下である、
請求項４又は請求項５に記載の移動局装置。
【請求項７】
前記所要巡回シフト量は、ドップラー広がりに対応する巡回シフト量以下の最大の巡回シフト量である、
請求項４から請求項６のいずれかに記載の移動局装置。
【請求項８】
前記所要巡回シフト量は、ドップラー広がりに対して、利用可能な最大の巡回シフト量である、
請求項４から請求項７のいずれかに記載の移動局装置。
【請求項９】
前記複数の系列には、Ｎを系列長、ａを１からＮ−１の間の整数として、前記系列番号がａ、Ｎ−ａの順に、前記連続する番号のインデックスが付されている、
請求項１から請求項８のいずれかに記載の移動局装置。
【請求項１０】
前記複数の系列には、前記系列番号がａ、Ｎ−ａの順であって、前記整数ａは非連続で、前記連続する番号のインデックスが付されている、
請求項９に記載の移動局装置。
【請求項１１】
前記複数の系列には、利用可能なセル半径が、全体的に最大値までの昇順の後に前記最大値からの降順となるように、前記連続する番号のインデックスが付されている、
請求項１から請求項１０のいずれかに記載の移動局装置。
【請求項１２】
前記複数の系列には、高速移動する移動局に対するセル半径が、全体的に最大値までの昇順の後に前記最大値からの降順となるように、前記連続する番号のインデックスが付されている、
請求項１から請求項１１のいずれかに記載の移動局装置。
【請求項１３】
前記通知部は、所要巡回シフト量を通知する、
請求項１から請求項１２のいずれかに記載の移動局装置。
【請求項１４】
前記系列は、Zadoff-Chu系列である、
請求項１から請求項１３のいずれかに記載の移動局装置。
【請求項１５】
受信した前記インデックスに対応する、前記インデックスが連続する少なくとも１つの系列を、巡回シフトすることによって前記プリアンブル系列が生成される、
請求項１から請求項１４のいずれかに記載の移動局装置。
【請求項１６】
前記プリアンブル系列を含むランダム・アクセス・プリアンブルが生成され、前記送信部は、前記ランダム・アクセス・プリアンブルを送信する、
請求項１から請求項１５のいずれかに記載の移動局装置。
【請求項１７】
前記受信部は、報知された前記インデックスを受信する、
請求項１から請求項１６のいずれかに記載の移動局装置。
【請求項１８】
系列番号に応じたドップラー広がりに対応する巡回シフト量が、全体的に最大値までの昇順の後に前記最大値からの降順となるように、連続する番号のインデックスが付された複数の系列のうち、前記インデックスが連続する少なくとも１つの系列の前記インデックスを受信し、
受信した前記インデックスに対応する系列から、プリアンブル系列を生成する、
系列生成方法。
【請求項１９】
系列番号に応じた所要巡回シフト量が、全体的に最大値までの昇順の後に前記最大値からの降順となるように、連続する番号のインデックスが付された複数の系列のうち、前記インデックスが連続する少なくとも１つの系列の前記インデックスを受信し、
受信した前記インデックスに対応する系列から、プリアンブル系列を生成する、
系列生成方法。
【発明の詳細な説明】
【技術分野】
【０００１】
本発明は、セルに割り当てたZadoff-Chu系列又はＧＣＬ（Generalized chirp like）系列を通知する移動局装置及び系列生成方法に関する。
【背景技術】
【０００２】
セルラ通信システムに代表される移動体通信システム、または、無線ＬＡＮ（Local Area Network）システムにおいては、送信領域にランダムアクセス領域が設けられる。このランダムアクセス領域は、端末局（以下、「ＵＥ」という）が基地局（以下、「ＢＳ」という）に最初に接続要求を行う場合、あるいは、ＢＳなどがＵＥの送信時間や送信帯域を割り当てる集中管理システムにおいて新たな帯域割り当て要求を行う場合、上り回線の送信領域に設けられる。なお、基地局はアクセスポイント又はＮｏｄｅＢと呼ばれることがある。
【０００３】
ランダムアクセス領域（以下、「ＲＡスロット」という）で送信されるランダムアクセスバースト（以下、「ＲＡバースト」という）は、スケジュールされる他のチャネルとは異なり、シグネチャ系列の衝突（複数のＵＥが同じＲＡスロットを用いて同一シグネチャ系列を送信すること）又はシグネチャ系列間の干渉により受信エラー及び再送が発生する。ＲＡバーストの衝突、受信エラーが発生すると、ＲＡバーストを含む上り送信タイミング同期取得及びＢＳへの接続要求処理の処理遅延が大きくなる。このため、シグネチャ系列の衝突率の低減、シグネチャ系列の検出特性の向上が要求されている。
【０００４】
非特許文献１に記載の移動体通信システムでは、ＲＡバーストのプリアンブル（以下、「ＲＡプリアンブル」という）系列として、自己相関特性及び系列間の相互相関特性が低いZadoff-Chu系列（以下、「ＺＣ系列」という）又はＧＣＬ系列（非特許文献２）を用いたＲＡプリアンブル系列（または、シグネチャ系列）が検討されている。また、ＺＣ系列を巡回シフトすることにより生成されるZC-ZCZ (Zadoff-Chu Zero Correlation Zone)系列を用いることが検討されている。
【０００５】
ＺＣ系列及びＧＣＬ系列は、その系列番号ｒと系列長Ｎが互いに素の関係を満たす場合、自己相関特性が最適となる。また、２つの系列間の相互相関特性は、系列番号をそれぞれｒ１及びｒ２とすると、ｒ１とｒ２の差の絶対値と系列長Ｎが互いに素の関係を満たす場合は、相互相関値は√Ｎで一定となる。したがって、系列長Ｎが素数の場合、Ｎ−１個の系列、すなわち、系列番号ｒ＝１，２，…，Ｎ−１の全ての系列に対して、自己相関特性及び相互相関特性が最適な系列の組が得られる。
【０００６】
また、非特許文献１に記載の移動体通信システムでは、１つのセルに対して常に６４個のZC-ZCZ系列を割り当てることが検討されている。この６４個の系列は、異なる系列番号のＺＣ系列、及び、それぞれの系列番号のＺＣ系列から生成される巡回シフト系列（Cyclic shift sequence）、すなわち、ZC-ZCZ系列を含む。
【０００７】
１つのＺＣ系列から生成可能なZC-ZCZ系列の系列数は、系列間の巡回シフト量に依存する。巡回シフト量をΔ、系列長をＮとした場合、生成されるZC-ZCZ系列数は、ｆｌｏｏｒ（Ｎ／Δ）で表される。なお、ｆｌｏｏｒ（ｘ）は、ｘを超えない最大の整数を表す。巡回シフト量Δは、巡回シフト量Δに対応する時間（Δtime）で考えると、ＵＥから送信されたＲＡプリアンブルが到来する可能性のある時間範囲によって定義される。具体的には、ＢＳからＵＥ間の伝搬遅延時間（TPropagationDelay）の往復分の最大想定値（TRoundTripDelay）と、伝送路のマルチパス遅延時間の最大想定値（TDelaySpread）との和よりも大きくなるように巡回シフト量Δtimeが設定される（Δtime＞２×TPropagationDelay＋TDelaySpread）。
【０００８】
したがって、セルサイズ（セル半径）に比例して、ＢＳとＵＥ間の伝搬遅延時間が増減するため、セルサイズが大きいセルほど、１つのＺＣ系列から生成可能なZC-ZCZ系列が減少する。このことから、１セルに６４個のプリアンブル系列を割り当てるためには、多くの異なる系列番号のＺＣ系列をセルに割り当てる必要がある。
【０００９】
ＢＳは、セルで使用する系列の系列番号を割当系列情報として報知チャネル（Broadcast channel）を生成し、セル内に存在するＵＥに通知する。各ＵＥは、通知された系列番号のＺＣ系列を用いてＲＡバーストを生成し、ランダムアクセスを行う。割当系列情報の通知方法としては、セルで使用する系列の系列番号を１つずつ通知する方法が考えられ、この方法によれば、任意の系列番号をセルに対して割り当てられるため、柔軟な系列割り当てが可能である。
【先行技術文献】
【非特許文献】
【００１０】
【非特許文献１】TS36.211V1.0.0 “3GPP TSG RAN; Physical Channels and Modulation (Release 8)”
【非特許文献２】Branislav M. Popovic, “Generalized Chirp-Like Polyphase Sequences with Optimum Correlation Properties,” IEEE Transaction on Information Theory, Vol.38, No.4, July 1992
【発明の概要】
【発明が解決しようとする課題】
【００１１】
しかしながら、上述した割当系列情報の通知方法では、セル半径の大きいセルの場合、最大６４のＺＣ系列を通知する必要があり、報知チャネルのシグナリング量（ビット数）が増大してしまう。割当系列情報は、ＵＥがＲＡプリアンブル送信の前に必要な情報であることから、受信環境の劣悪なＵＥでも正しく受信できるようにロバストに送信（つまり、伝送レートの低い変調方式、符号化率などを用いて送信）される。このため、シグナリング量が多いとその分無線リソースを消費してしまう。
【００１２】
本発明の目的は、セルに割り当てたZadoff-Chu系列又はＧＣＬ系列を通知するシグナリング量を低減する移動局装置及び系列生成方法を提供することである。
【課題を解決するための手段】
【００１３】
本発明の移動局装置は、系列番号に応じたドップラー広がりに対応する巡回シフト量が、全体的に最大値までの昇順の後に前記最大値からの降順となるように、連続する番号のインデックスが付された複数の系列のうち、前記インデックスが連続する少なくとも１つの系列の前記インデックスを受信する受信部と、受信した前記インデックスに対応する系列から生成されたプリアンブル系列を送信する送信部と、を有する構成を採る。
【００１４】
本発明の系列生成方法は、系列番号に応じたドップラー広がりに対応する巡回シフト量が、全体的に最大値までの昇順の後に前記最大値からの降順となるように、連続する番号のインデックスが付された複数の系列のうち、前記インデックスが連続する少なくとも１つの系列の前記インデックスを受信し、受信した前記インデックスに対応する系列から、プリアンブル系列を生成するようにした。
【発明の効果】
【００１５】
本発明によれば、セルに割り当てたZadoff-Chu系列又はＧＣＬ系列を通知するシグナリング量を低減することができる。
【図面の簡単な説明】
【００１６】
【図１】本発明の実施の形態１に係る無線通信システムの構成を示すブロック図
【図２】図１に示したＢＳの構成を示すブロック図
【図３】本発明の実施の形態１に係るＵＥの構成を示すブロック図
【図４】図２に示したプリアンブル系列検出部の内部構成を示す図
【図５】本発明の実施の形態１に係る系列番号とインデックスの対応関係を示す図
【図６】本発明の実施の形態１に係る報知チャネルの構成を示す図
【図７】図１に示した系列割当部の動作を示すフロー図
【図８】本発明の実施の形態１に係る割当系列情報の構成を示す図
【図９】本発明の実施の形態１に係る系列番号とインデックスの対応関係を示す図
【図１０】分散管理型システム構成を示すブロック図
【図１１】本発明の実施の形態２に係る系列番号とインデックスの対応関係を示す図
【図１２】本発明の実施の形態２に係る報知チャネルの構成を示す図
【図１３】本発明の実施の形態３に係る割当系列数と通知ビットの対応関係を示す図
【図１４】本発明の実施の形態３に係る報知チャネルの構成を示す図
【図１５】セルサイズ（半径）に対する１系列から生成可能な巡回シフト系列数及び所要割当系列数の対応関係を示す図
【図１６】本発明の実施の形態４に係る系列番号とインデックスの対応関係を示す図
【図１７】本発明の実施の形態４に係る報知チャネルの構成を示す図
【図１８】本発明の実施の形態４に係るインデックス種別とプリアンブル系列テーブルの対応関係を示す図
【図１９】本発明の実施の形態５に係る系列番号とインデックスの対応関係を示す図
【図２０】本発明の実施の形態５に係る報知チャネルの構成を示す図
【図２１】本発明の実施の形態６に係るＺＣ系列の相関値と巡回シフト量Δの関係を示す図
【図２２】本発明の実施の形態６に係る系列番号とインデックスの対応関係を示す図
【図２３】本発明の実施の形態６に係る系列番号とインデックスの対応関係を示す図
【図２４】本発明の実施の形態６に係る系列番号とインデックスの対応関係を示す図
【発明を実施するための形態】
【００１７】
以下、本発明の実施の形態について、図面を参照して詳細に説明する。
【００１８】
（実施の形態１）
まず、ＺＣ系列について式を用いて示す。系列長ＮのＺＣ系列は、Ｎが偶数の場合、式（１）によって表され、Ｎが奇数の場合、式（２）によって表される。
【数１】
2011254504.tif 000003
【数２】
2011254504.tif 000004
ただし、ｋ＝０，１，２，…，Ｎ−１、ｑは任意の整数、ｒは系列番号（Sequence index）であり、ｒはＮとは互いに素の関係を有し、かつ、Ｎより小さい正の整数である。
【００１９】
次に、ＧＣＬ系列について式を用いて示す。系列長ＮのＧＣＬ系列は、Ｎが偶数の場合、式（３）によって表され、Ｎが奇数の場合、式（４）によって表される。
【数３】
2011254504.tif 000005
【数４】
2011254504.tif 000006
ただし、ｋ＝０，１，２，…，Ｎ−１、ｑは任意の整数、ｒはＮとは互いに素の関係を有し、かつ、Ｎより小さい整数、ｂｉ（ｋ ｍｏｄ ｍ）は、任意の複素数であり、ｉ＝０，１，…，ｍ−１である。また、ＧＣＬ系列間の相互相関を最小にする場合、ｂｉ（ｋ ｍｏｄ ｍ）は振幅１の任意の複素数を用いる。
【００２０】
ＧＣＬ系列は、ＺＣ系列にｂｉ（ｋ ｍｏｄ ｍ）を乗算した系列であり、受信側の相関演算はＺＣ系列と同様であるため、以下、ＺＣ系列を例に説明する。また、以下においては、ＲＡバーストのプリアンブル系列として、系列長Ｎが奇数かつ素数のＺＣ系列を用いる場合について説明する。
【００２１】
図１は、本発明の実施の形態１に係る無線通信システムの構成を示すブロック図である。この図において、無線リソース管理部５１は、複数のＢＳ（＃１〜＃Ｍ）１００−１〜１００−Ｍに割り当てる無線リソースを管理し、系列割当部５２及び通知部５３を備える。
【００２２】
系列割当部５２は、配下のＢＳが管理するセルにＺＣ系列の系列番号ｒを割り当て、割り当てた系列番号ｒを通知部５３に出力する。通知部５３は、系列割当部５２から出力された系列番号ｒを示す情報をＢＳ１００−１〜１００−Ｍに通知する。なお、系列割当部５２及び通知部５３の詳細については後述する。
【００２３】
ＢＳ１００−１〜１００−Ｍは、通知部５３から通知された系列番号ｒを示す情報に基づいて、後述する通知方法により割当系列情報を自セル内のＵＥに報知し、ＵＥから送信されたプリアンブル系列を検出する。ＢＳ１００−１〜１００−Ｍは全て同一の機能を有することから、以下の説明では、ＢＳ１００として一括して扱うものとする。
【００２４】
図２は、図１に示したＢＳ１００の構成を示すブロック図である。この図において、報知チャネル処理部１０１は、報知チャネル生成部１０２、符号化部１０３、変調部１０４を備えている。報知チャネル生成部１０２は、図１に示した通知部５３から通知された割当系列番号ｒを示す情報に基づいて、プリアンブル系列テーブル記憶部１１３から該当する情報を読み出し、読み出した情報を含めて下り制御チャネルである報知チャネル（Broadcast channel）を生成する。生成された報知チャネルは符号化部１０３に出力される。
【００２５】
符号化部１０３は、報知チャネル生成部１０２から出力された報知チャネルを符号化し、変調部１０４は、符号化された報知チャネルをＢＰＳＫ、ＱＰＳＫなどの変調方式によって変調する。変調された報知チャネルは多重部１０８に出力される。
【００２６】
ＤＬデータ送信処理部１０５は、符号化部１０６及び変調部１０７を備え、ＤＬ送信データの送信処理を行う。符号化部１０６は、ＤＬ送信データを符号化し、変調部１０７は、符号化されたＤＬ送信データをＢＰＳＫ、ＱＰＳＫなどの変調方式によって変調し、変調したＤＬ送信データを多重部１０８に出力する。
【００２７】
多重部１０８は、変調部１０４から出力された報知チャネルと、変調部１０７から出力されたＤＬ送信データとを時間多重、周波数多重、空間多重、または、符号多重を行い、多重信号を送信ＲＦ部１０９に出力する。
【００２８】
送信ＲＦ部１０９は、多重部１０８から出力された多重信号にＤ／Ａ変換、フィルタリング、アップコンバート等の所定の無線送信処理を施し、無線送信処理を施した信号をアンテナ１１０から送信する。
【００２９】
受信ＲＦ部１１１は、アンテナ１１０を介して受信した信号にダウンコンバート、Ａ／Ｄ変換等の所定の無線受信処理を施し、無線受信処理を施した信号を分離部１１２に出力する。
【００３０】
分離部１１２は、受信ＲＦ部１１１から出力された信号をＲＡスロットとＵＬデータスロットとに分離し、分離したＲＡスロットをプリアンブル系列検出部１１４に、ＵＬデータスロットをＵＬデータ受信処理部１１５の復調部１１６にそれぞれ出力する。
【００３１】
プリアンブル系列テーブル記憶部１１３は、図１に示した系列割当部５２が割り当て可能なプリアンブル系列、この系列の番号及びこれらの系列の番号を示すインデックスを対応付けたプリアンブル系列テーブルを記憶し、図１に示した通知部５３から通知された割当系列番号ｒを示す情報に基づいて、プリアンブル系列をテーブルから読み出し、該当するプリアンブル系列をプリアンブル系列検出部１１４に出力する。
【００３２】
プリアンブル系列検出部１１４は、分離部１１２から出力されたＲＡスロットについて、プリアンブル系列テーブル記憶部１１３に記憶されたプリアンブル系列を用いて相関処理等のプリアンブル波形検出処理を行い、プリアンブル系列がＵＥから送信されたか否かを検出する。検出結果（ＲＡバースト検出情報）は図示せぬ上位層に出力される。
【００３３】
ＵＬデータ受信処理部１１５は、復調部１１６及び復号化部１１７を備え、ＵＬデータの受信処理を行う。復調部１１６は、分離部１１２から出力されたＵＬデータの伝送路応答歪補正を行い、変調方式に対応した硬判定又は軟判定による信号点判定を行い、復号化部１１７は、復調部１１６による信号点判定の結果について誤り訂正処理を行い、ＵＬ受信データを出力する。
【００３４】
図３は、本発明の実施の形態１に係るＵＥ１５０の構成を示すブロック図である。この図において、受信ＲＦ部１５２は、図１に示したＢＳ１００から送信された信号をアンテナ１５１を介して受信し、受信した信号にダウンコンバート、Ａ／Ｄ変換等の所定の無線受信処理を施し、無線受信処理を施した信号を分離部１５３に出力する。
【００３５】
分離部１５３は、受信ＲＦ部１５２から出力された信号に含まれる報知チャネルとＤＬデータとをそれぞれ分離し、分離したＤＬデータをＤＬデータ受信処理部１５４の復調部１５５に、報知チャネルを報知チャネル受信処理部１５７の復調部１５８に出力する。
【００３６】
ＤＬデータ受信処理部１５４は、復調部１５５及び復号化部１５６を備え、ＤＬデータの受信処理を行う。復調部１５５は、分離部１５３から出力されたＤＬデータの伝送路応答歪補正を行い、変調方式に対応した硬判定又は軟判定による信号点判定を行い、復号化部１５６は、復調部１５５による信号点判定結果について誤り訂正処理を行い、ＤＬ受信データを出力する。
【００３７】
報知チャネル受信処理部１５７は、復調部１５８、復号化部１５９及び報知チャネル処理部１６０を備え、報知チャネルの受信処理を行う。復調部１５８は、分離部１５３から出力された報知チャネルの伝送路応答歪補正を行い、変調方式に対応した硬判定又は軟判定による信号点判定を行い、復号化部１５９は、復調部１５８による報知チャネルの信号点判定結果について誤り訂正処理を行う。誤り訂正処理された報知チャネルは報知チャネル処理部１６０に出力される。報知チャネル処理部１６０は、復号化部１５９から出力された報知チャネルに含まれる割当系列情報をプリアンブル系列テーブル記憶部１６１に、その他の報知チャネルは図示せぬ上位層に出力する。
【００３８】
プリアンブル系列記憶部１６１は、図２に示したＢＳ１００のプリアンブル系列テーブル記憶部１１３が有するプリアンブル系列テーブル、すなわち、図１に示した系列割当部５２が割り当て可能なプリアンブル系列、この系列の番号及びこれらの系列の番号を示すインデックスを対応付けたプリアンブル系列テーブルを記憶する。そして、報知チャネル処理部１６０から出力された割当系列情報に対応するプリアンブル系列をＲＡバースト生成部１６２に出力する。
【００３９】
ＲＡバースト生成部１６２は、図示せぬ上位層からＲＡバースト送信指示を取得すると、プリアンブル系列テーブル記憶部１６１から利用可能なプリアンブル系列の１つを選択し、選択したプリアンブル系列を含めてＲＡバーストを生成し、生成したＲＡバーストを多重部１６６に出力する。
【００４０】
ＵＬデータ送信処理部１６３は、符号化部１６４及び変調部１６５を備え、ＵＬ送信データの送信処理を行う。符号化部１６４は、ＵＬ送信データを符号化し、変調部１６５は、符号化されたＵＬ送信データをＢＰＳＫ、ＱＰＳＫなどの変調方式によって変調し、変調したＵＬ送信データを多重部１６６に出力する。
【００４１】
多重部１６６は、ＲＡバースト生成部１６２から出力されたＲＡバーストと、変調部１６５から出力されたＵＬ送信データとを多重し、多重信号を送信ＲＦ部１６７に出力する。
【００４２】
送信ＲＦ部１６７は、多重部１６６から出力された多重信号にＤ／Ａ変換、フィルタリング、アップコンバート等の所定の無線送信処理を施し、無線送信処理を施した信号をアンテナ１５１から送信する。
【００４３】
次に、図２に示したプリアンブル系列検出部１１４について説明する。図４は、図２に示したプリアンブル系列検出部１１４の内部構成を示す図である。ここでは、系列長Ｎ＝１１であり、プリアンブル系列として、系列番号ｒ＝ａと系列番号ｒ＝Ｎ-ａのＺＣ系列を組として割り当てられている場合を例示する。ここで、ａは系列番号ｒが取りうる任意の系列番号を表す。
【００４４】
図４において、遅延器Ｄからの入力信号をｒ（ｋ）＝ａｋ＋ｊｂｋ、系列番号ｒ＝ａのＺＣ系列の各係数をｃｒ＝ａ＊（ｋ）＝ｃｋ＋ｊｄｋとすると、複素乗算部ｘは、系列番号ｒ＝ａ側の相関に対する演算結果をａｋｃｋ−ｂｋｄｋ＋ｊ（ｂｋｃｋ＋ａｋｄｋ）とする。一方、系列番号ｒ＝Ｎ−ａのＺＣ系列の各係数はｃｒ＝Ｎ−ａ＊（ｋ）＝（ａｒ＝ａ＊（ｋ））＊＝ｃｋ−ｊｄｋであり、系列番号ｒ＝Ｎ−ａ側の相関に対する演算結果は、ａｋｃｋ＋ｂｋｄｋ＋ｊ（ｂｋｃｋ−ａｋｄｋ）となる。
【００４５】
したがって、系列番号ｒ＝ａ側の相関値を得るために行った乗算演算結果は、ａｋｃｋ、ｂｋｄｋ、ｂｋｃｋ、ａｋｄｋは、系列番号ｒ＝Ｎ−ａ側の相関値の算出に利用できるため、系列番号ｒ＝ａと系列番号ｒ＝Ｎ−ａを組として割り当てない場合の受信処理に比べて乗算演算量を低減することができ、回路規模（乗算器数）を削減することができる。
【００４６】
なお、図４からも分かるように、１つのＺＣ系列は、偶対象の系列（系列の各要素がｃｒ（ｋ）＝ｃｒ（Ｎ−１−ｋ））の関係にあるため、相関器では、乗算演算の前にｋとＮ−１−ｋの要素を加算した乗算処理を行うことにより、乗算回数（乗算器数）をさらに半分に削減することができる。
【００４７】
次に、割当系列情報の具体的な通知方法について説明する。
【００４８】
図５は、本発明の実施の形態１に係るプリアンブル系列テーブルを示す図である。図５では、インデックス１に系列番号ｒ＝１が、インデックス２に系列番号ｒ＝Ｎ−１が対応付けられ、インデックス３に系列番号ｒ＝２が、インデックス４に系列番号ｒ＝Ｎ−２が対応付けられている。インデックス４以降も同様に系列番号ｒが対応付けられている。
【００４９】
図１に示した系列割当部５２では、セルに系列番号を割り当てる際に、図５に示すテーブルに従って、各セルに必要な系列数Ｋ個のＺＣ系列をインデックスが連続するように割り当てる。割り当てられた系列の系列番号ｒを示す情報は通知部５３に通知される。
【００５０】
通知部５３では、系列割当部５２によって割り当てられたＺＣ系列を割当対象となるＢＳ１００に通知する。ＢＳ１００の報知チャネル生成部１０２は、通知部５３から通知された割当系列情報を含む報知チャネル（BCH: Broadcast channel）を生成する。
【００５１】
図６は、報知チャネル生成部１０２において生成される報知チャネル３００の構成を示す図である。報知チャネル生成部１０２では、図５に示したテーブルを記憶するプリアンブル系列テーブル記憶部１１３を参照し、連続して割り当てられるＺＣ系列の始めの系列番号に対応付けられたインデックスを示すスタート・インデックス番号３０２１と割り当てられたＺＣ系列数を示す割当系列数３０２２とを合わせた割当系列情報３０２が生成される。割当系列情報３０２は報知チャネル３００に含められ、各ＵＥへ通知される。
【００５２】
ここで、スタート・インデックス番号３０２１のビット数Ｘは、ＺＣ系列番号を通知するのに必要なビット数であり、系列数がＮ−１の場合は、Ｘ＝ceiling (log2(Ｎ−１))である。また、割当系列数３０２２のビット数Ｙは、１セルに割り当て可能な最大割当数Ｍを通知するのに必要なビット数であり、Ｙ＝ceiling (log2(Ｍ)) である。ここで、ceiling(ｘ)はｘが整数の場合はｘを表し、ｘが非整数の場合はｘより大きい整数のうち最小の整数を表す。
【００５３】
このように決定された１つのインデックス番号及び割当系列数は、ＢＳ１００から報知チャネルによってＵＥ１５０に報知される。ＵＥ１５０側でも、図５に示すテーブルと同じテーブルをプリアンブル系列テーブル記憶部１６１に備え、通知された１つのインデックス番号及び割当系列数を用いて、利用可能な系列番号を特定する。ＵＥ１５０は、特定した利用可能な系列番号の中から一つの系列番号を選択してプリアンブル系列を含めてＲＡバーストを生成し、ＲＡスロットで送信する。
【００５４】
なお、図６では、割り当てられた系列の先頭のインデックス番号を通知する例を示したが、末尾、あるいは、無線リソース管理部５１、ＢＳ１００、ＵＥ１５０の間で予め定められた特定の位置のインデックス番号であってもよい。
【００５５】
次に、図１に示した系列割当部５２の動作について図７を用いて説明する。図７において、ステップ（以下、「ＳＴ」と省略する）４０１では、カウンタａを初期化（ａ＝１）する。また、１セルへの割当数をＫとする。
【００５６】
ＳＴ４０２では、インデックス番号ａからインデックス番号ａ＋Ｋ−１までの連続するＫ個の系列が１つでも割り当て済みであるか否かを判定する。割り当て済みではない場合（ＮＯ）、つまり、Ｋ個全ての系列が割り当て可能である場合は、系列割り当てを行うためにＳＴ４０４に移行し、連続するＫ個の系列のうち１つでも割り当て済み系列がある場合（ＹＥＳ）は、ＳＴ４０３において、カウンタａをインクリメント（ａ＝ａ＋１に更新）し、ＳＴ４０２へ戻る。
【００５７】
ＳＴ４０４では、インデックス番号ａからａ＋Ｋ−１までの系列を割り当て、系列割り当て処理を終了する。なお、ＳＴ４０１、ＳＴ４０２、ＳＴ４０４では、割り当てる系列を系列番号の若い順に検索する手順を示しているが、検索する順序（カウンタａの順序）は、これに限定しない。
【００５８】
図８に、ＺＣ系列長Ｎ＝８３９、１つのセルに割り当て可能な最大系列数を６４とした場合のプリアンブル系列テーブル及び報知チャネルの割当系列情報の構成を示す。
【００５９】
系列長Ｎが８３９の素数であるため、割り当て可能な系列数は８３８であり、インデックス数も８３８である。したがって、インデックス番号の通知に必要なビット数は１０ｂｉｔｓとなる。また、割当系列数の通知に必要なビット数は、割当数が１から６４（最大）であるため、６ｂｉｔｓとなる。したがって、割り当てた系列番号及び系列数の通知に必要なビット数は常に１６ｂｉｔｓとなる。
【００６０】
一方、任意の系列番号を１つのセルに割り当てる場合は、割り当てた系列毎にインデックス通知のために１０ｂｉｔｓを要し、最大割当系列数が６４であるとすると、最大６４０ｂｉｔｓ（＝１０ｂｉｔｓ×６４系列）が必要となるため、実施の形態１の通知方法を適用した場合、シグナリングビット数を最大６４０ｂｉｔｓから１６ｂｉｔｓに低減でき、シグナリング量を最大９７．５％削減することができる。
【００６１】
このように実施の形態１によれば、報知チャネルで通知する割当系列情報のシグナリング・オーバーヘッドを低減することができる。また、割当系列数にかかわらず一定サイズとなるため、割当系列情報のビット数を割当系列数にかかわらず一定に保つことができるため、報知チャネルのサイズを一定にでき、送受信処理構成を簡易にできる。
【００６２】
なお、通知部５３から各ＢＳ１００−１〜１００−Ｍへの割当系列情報の通知方法も、ＢＳ１００からＵＥ１５０への通知方法と同様に通知することにより、シグナリング量を低減することができる。
【００６３】
なお、本実施の形態では、系列長Ｎが素数（奇数）の場合について説明したが、系列長Ｎが非素数（奇数、偶数問わず）であってもよい。系列長Ｎが素数でない場合は、システム全体で利用可能な最適な自己相関特性をもつ系列番号ｒは、系列長Ｎに対して互いに素であることを満たす必要がある。
【００６４】
なお、図９に示すように、プリアンブル系列テーブル記憶部１１３に記憶されるテーブルは、（ａ，Ｎ−ａ）の組をランダムに並べてもよい。また、ＺＣ系列の組の順序（ａ，Ｎ−ａの順序）は、ａ，Ｎ−ａの順であっても、Ｎ−ａ，ａの順のいずれであってもよい。
【００６５】
また、プリアンブル系列テーブル記憶部１１３に記憶されるテーブルは、ＺＣ系列番号の順序（系列番号ａの順序）は任意でもよく、ａ=１，２，３，４,…でも、ａ=１１,（Ｎ−１）／２，１，…のようにランダムな割り当てであってもよい。このようなプリアンブル系列テーブルを用いる場合であっても、ＢＳ１００とＵＥ１５０が同一のテーブルを共有していれば、テーブルに示された系列番号に対応付けられたインデックス番号と割当系列数とを通知することにより、同様にシグナリング量を削減することができる。
【００６６】
また、本実施の形態では、ランダムアクセスで利用するプリアンブル系列を例に説明したが、本発明はこれに限らず、既知信号として、１つのＢＳで複数のＺＣ系列又はＧＣＬ系列を用いる場合にも適用することができる。このような既知信号としては、例えば、チャネル推定用参照信号、下り同期用パイロット信号（Synchronization channel）などが挙げられる。
【００６７】
また、本実施の形態では、図１に示すように、複数のＢＳに対して１つの系列割当部５２が存在する集中管理型のシステム構成について説明したが、図１０に示すように、ＢＳ毎に系列割当部を備え、複数のＢＳ間で互いに異なる系列番号ｒのＺＣ系列を割り当てるように情報交換する分散管理型のシステム構成であってもよい。
【００６８】
（実施の形態２）
本発明の実施の形態２に係る無線リソース管理部、ＢＳ及びＵＥの構成は、実施の形態１における図１、図２及び図３に示した構成と同様であるため、図１、図２及び図３を援用して説明する。
【００６９】
図１１は、本発明の実施の形態２に係るプリアンブル系列テーブルを示す図である。図１１では、インデックス１に系列番号ｒ＝１，Ｎ−１が対応付けられ、インデックス２に系列番号ｒ＝２、Ｎ−２が対応付けられている。インデックス３以降も同様に系列番号ｒが対応付けられている。
【００７０】
系列割当部５２では、セルに系列番号を割り当てる際に、図１１に示すテーブルに従って、各セルに必要な系列数Ｋ個のＺＣ系列をインデックスが連続するように割り当てる。割り当てられた系列のインデックスは通知部５３に通知される。
【００７１】
通知部５３では、系列割当部５２によって割り当てられた系列のインデックスを割当対象となるＢＳ１００に通知する。ＢＳ１００の報知チャネル生成部１０２は、通知部５３から通知されたインデックスに基づいて、割当系列情報を生成する。割当系列情報は、報知チャネルに含められる。
【００７２】
図１２は、報知チャネル生成部１０２において生成される報知チャネル３１０の構成を示す図である。報知チャネル生成部１０２では、図１１に示したテーブルを記憶するプリアンブル系列テーブル記憶部１１３を参照し、スタート・インデックス番号３１２１と割り当てられたＺＣ系列のインデックス数３１２２とを合わせた割当系列情報３１２が生成される。割当系列情報３１２は、報知チャネル３１０に含められ、各ＵＥへ通知される。
【００７３】
本実施の形態では、１つのインデックスに２つの系列番号が対応付けられているため、インデックス数の通知に必要なビット数はＸ−１ｂｉｔとなる。また、割り当てを行うインデックス数は、最大系列数がＭの場合はＭ／２となるため、割当インデックス数の通知に必要なビット数はＹ−１ｂｉｔとなる。
【００７４】
ここで、スタート・インデックス番号３１２１のビット数Ｘ−１及び割当インデックス数３１２２のビット数Ｙ−１は、実施の形態１と同様に定義する。すなわち、ＸはＺＣ系列番号を表すのに必要なビット数であり、系列数がＮ−１の場合は、Ｘ−１＝ceiling (log2(Ｎ−１))−１である。また、ビット数Ｙは、１セルに割り当て可能な最大割当数Ｍを通知するのに必要なビット数であり、Ｙ−１＝ceiling (log2(Ｍ))−１である。
【００７５】
このように決定された１つのインデックス番号及び割当インデックス数は、ＢＳ１００から報知チャネルによってＵＥ１５０に報知される。ＵＥ１５０側でも、図１１に示すテーブルと同じテーブルをプリアンブル系列テーブル記憶部１６１に備え、通知された１つのインデックス番号及び割当インデックス数を用いて、利用可能な系列番号を特定する。ＵＥ１５０は、特定した利用可能な系列番号の中から一つの系列番号を選択してプリアンブル系列を含めてＲＡバーストを生成し、ＲＡスロットで送信する。
【００７６】
なお、図１２では、割り当てられた系列の先頭のインデックス番号を通知する例を示したが、末尾、あるいは、無線リソース管理部５１、ＢＳ１００、ＵＥ１５０の間で予め定められた特定の位置のインデックス番号であってもよい。
【００７７】
以下、ＺＣ系列長Ｎ＝８３９、系列数が８３８、１つのセルに割り当て可能な最大系列数を６４とした場合、上述した割当系列情報の通知方法による効果について説明する。
【００７８】
系列長Ｎが８３９の素数であるため、割り当て可能な系列数は８３８であり、インデックス数も８３８である。系列番号ａ、Ｎ−ａの組に対してインデックス番号を付与するため、インデックス番号の通知に必要なビット数は９ｂｉｔｓとなる。また、割当インデックス数の通知に必要なビット数は、インデックス数が１から３２（最大）であるため、５ｂｉｔｓとなる。したがって、割り当てた系列番号及び系列数の通知に必要なビット数は常に１４ｂｉｔｓとなる。
【００７９】
一方、任意の系列番号を１つのセルに割り当てる場合は、割り当てた系列毎にインデックス通知のために１０ｂｉｔｓを要し、最大割当系列数が６４であるとすると、最大６４０ｂｉｔｓ（＝１０ｂｉｔｓ×６４系列）が必要となるため、実施の形態２の通知方法を適用した場合、シグナリングビット数を最大６４０ｂｉｔｓから１４ｂｉｔｓに低減でき、シグナリング量を最大９７．８％削減することができる。
【００８０】
このように実施の形態２によれば、ＺＣ系列相関処理の演算量を低減しつつ、さらに報知チャネルで通知する割当系列情報のシグナリング・オーバーヘッドを低減することができる。
【００８１】
なお、本実施の形態では、２つの系列番号（ａ，Ｎ−ａ）の組に１つのインデックスを対応付ける場合について説明したが、４つの系列番号（ａ１，Ｎ−ａ１，ａ２，Ｎ−ａ２）の組、８つの系列番号（ａ１，Ｎ−ａ１，ａ２，Ｎ−ａ２，ａ３，Ｎ−ａ３，ａ４，Ｎ−ａ４）の組など、２以上の組に対して１つのインデックスを対応付けてもよい。
【００８２】
なお、実施の形態１と同様、プリアンブル系列テーブル記憶部１１３に記憶されるテーブルは、（ａ，Ｎ−ａ）の組をランダムに並べてもよい。また、ＺＣ系列の組の順序（ａ，Ｎ−ａの順序）は、ａ，Ｎ−ａの順であっても、Ｎ−ａ，ａの順のいずれであってもよい。また、（ａ，Ｎ−ａ）をペアとせずに(１、３)、(２、Ｎ−４)、（ａ、Ｎ−ｂ）などのようにＺＣ系列のランダムな組に１つのインデックスを対応付けてもよい。
【００８３】
（実施の形態３）
本発明の実施の形態３に係る無線リソース管理部、ＢＳ及びＵＥの構成は、実施の形態１における図１、図２及び図３に示した構成と同様であるため、図１、図２及び図３を援用して説明する。
【００８４】
また、本発明の実施の形態３に係るプリアンブル系列テーブルは、実施の形態１の図５に示したプリアンブル系列テーブルと同一のテーブルを適用するが、セルに割り当てる系列数を制限する点が実施の形態１とは異なる。
【００８５】
図１３は、本発明の実施の形態３に係る割当系列数と通知ビットの対応関係を示す図である。図１３では、最大割当系列数を６４とし、セルに割り当て可能な系列数を２のべき乗に制限した場合について示している。割当系列数を制限できる理由については後述する。
【００８６】
系列割当部５２では、セルにＺＣ系列番号を割り当てる際に、図６に示すテーブルに従って、各セルに必要な系列数Ｋ個のＺＣ系列をインデックスが連続するように割り当てる（図８と同じ）。ここで、系列数Ｋの取りうる値は、図１３に示す値に制限される。割り当てられた系列のインデックスは通知部５３に通知される。
【００８７】
図１４は、報知チャネル生成部１０２において生成される報知チャネル３２０の構成を示す図である。報知チャネル生成部１０２では、図６及び図１３に示したテーブルを記憶するプリアンブル系列テーブル記憶部１１３を参照し、スタート・インデックス番号３０２１と割り当てたＺＣ系列の割当系列数３２２２とを合わせた割当系列情報３２２が生成される。割当系列情報３２２は報知チャネル３２０に含められ、各ＵＥへ通知される。
【００８８】
ここで、割当系列数３２２２のビット数Ｚは、通知ビットに必要なビット数であり、取りうる割当系列数がＰ種類である場合、Ｚ＝ceiling (log2(Ｐ))である。また図１３に示す割当系列数（７種類）の場合、ビット数Ｚは３ｂｉｔｓとなる。
【００８９】
このように決定された１つのインデックス番号及び割当系列数は、ＢＳ１００から報知チャネルによってＵＥ１５０に報知される。ＵＥ１５０側でも、図５及び図１３に示すテーブルと同じテーブルをプリアンブル系列テーブル記憶部１６１に備え、通知された１つのインデックス番号及び割当系列数を用いて、利用可能な系列番号を特定する。ＵＥ１５０は、特定した利用可能な系列番号の中から一つの系列番号を選択してプリアンブル系列を含めてＲＡバーストを生成し、ＲＡスロットで送信する。
【００９０】
なお、図１４では、割り当てられた系列の先頭のインデックス番号を通知する例を示したが、末尾、あるいは、無線リソース管理部５１、ＢＳ１００、ＵＥ１５０の間で予め定められた特定の位置のインデックス番号であってもよい。
【００９１】
次に、割当系列数を制限可能な理由について図１５を用いて説明する。
【００９２】
図１５は、ＲＡプリアンブル長を８００ｕｓである場合において、セルサイズ（セル半径）に対する１つのＺＣ系列から生成可能な巡回シフト系列数及び所要割当系列数の関係を示す図である。ここで、所要割当系列数は、異なる系列番号のＺＣ系列数である。
【００９３】
一例として、非特許文献１に記載された移動体通信システムでは、１つのセルに対してランダムアクセス用のプリアンブル系列を常に６４系列利用する。この際、６４系列は、１つのＺＣ系列から生成される１あるいは複数の巡回シフト系列及び異なる系列番号のＺＣ系列より構成される。１つのＺＣ系列から８つの巡回シフト系列が生成可能である場合、８つの異なる系列番号のＺＣ系列をそのセルに割り当て、各ＺＣ系列から８つずつ巡回シフト系列を生成することにより、合計６４系列となる。
【００９４】
系列長が奇数の場合のＺＣ系列（式（２））に対して、ｑ＝０とし、巡回シフト量Δを含めた式を（５）に示す。
【数５】
2011254504.tif 000007
ここで、ｌは巡回シフト系列番号を表し、ｌ＝０，１，…，Ｌ−１であり、Ｌは巡回シフト系列数を表す。
【００９５】
１つのＺＣ系列から生成可能な巡回シフト系列数は、巡回シフト量Δにより決定される。Δが小さい場合は、１系列から生成可能な巡回シフト系列数が増加し、Δが大きい場合は、１系列から生成可能な巡回シフト系列数が少なくなる。巡回シフト系列数ＬはＬ＝ｆｌｏｏｒ（Ｎ／Δ）により得られる。
【００９６】
さらに、巡回シフト量Δは、ＢＳ１００とＵＥ１５０間の往復分の伝搬遅延（Round trip delay）よりも大きく設定する必要があるため、セルがサポートするサービス半径に比例する。したがって、図１５に示すように、セルサイズ（セル半径）に比例して、１系列から生成可能な巡回シフト系列数が減少し、一方で、所要割当系列数が増加する。
【００９７】
実施の形態１では、割当系列数は１から最大割当数Ｍの任意の数をセルに割り当て可能な構成であるが、大きい割当系列数（例えば、１７〜３１、３３〜６３など）は、セル半径が非常に大きなセルであり、実際にはほとんど利用されない。一方、多くのセルは、そのセル半径が数百メートルから１０ｋｍ程度であり、所要割当系列数が少ない。
【００９８】
したがって、図１５に示すようにセル半径が大きいほど、取りうる系列数の間隔を広げる（指数的に増加させる）ことで、系列割り当ての自由度をある程度維持したまま、シグナリング量を低減することが可能となる。
【００９９】
以下、ＺＣ系列長Ｎ＝８３９、系列数が８３８、１つのセルに割り当て可能な最大系列数を６４とし、割当系列数を図１３に示すように制限した場合、上述した割当系列情報の通知方法による効果について説明する。
【０１００】
系列長Ｎが８３９の素数であるため、割り当て可能な系列数は８３８であり、インデックス数も８３８である。インデックス番号の通知に必要なビット数は実施の形態１と同様１０ｂｉｔｓとなる。また、割当系列数の通知に必要なビット数は、３ｂｉｔｓとなる。したがって、割り当てた系列番号及び系列数の通知に必要なビット数は常に１３ｂｉｔｓとなる。
【０１０１】
ここで、任意の系列番号を１つのセルに割り当てる場合は、割り当てた系列毎にインデックス通知のために１０ｂｉｔｓを要し、最大割当系列数が６４であるとすると、最大６４０ｂｉｔｓ（＝１０ｂｉｔｓ×６４系列）の通知が必要となるため、実施の形態３の通知方法を適用した場合、シグナリングビット数を最大６４０ｂｉｔｓから１３ｂｉｔｓに低減でき、シグナリング量を最大９８．０％削減することができる。
【０１０２】
このように実施の形態３によれば、ＺＣ系列相関処理の演算量を低減しつつ、さらに報知チャネルで通知する割当系列情報のシグナリング・オーバーヘッドを低減することができる。
【０１０３】
（実施の形態４）
本発明の実施の形態４に係る無線リソース管理部、ＢＳ及びＵＥの構成は、実施の形態１における図１、図２及び図３に示した構成と同様であるため、図１、図２及び図３を援用して説明する。
【０１０４】
図１６は、本発明の実施の形態４に係るプリアンブル系列テーブルを示す図である。図１６では、割当系列数毎にインデックスと系列番号との対応関係を設定する。例えば、割当系列数をＫ＝１，２，４，８，１６，３２，６４とする場合、７種類のプリアンブル系列テーブルを用意する。
【０１０５】
図１６Ａは、割当系列数１用のプリアンブル系列テーブルを示す。図１６Ａでは、１つのインデックスに対して１つの系列番号が割り当てられている。具体的には、インデックス１に系列番号ｒ＝１が、インデックス２に系列番号ｒ＝Ｎ−１が対応付けられ、インデックス３に系列番号ｒ＝２、インデックス４に系列番号ｒ＝Ｎ−２が対応付けられている。インデックス５以降も同様に系列番号ｒが対応付けられている。
【０１０６】
図１６Ｂは、割当系列数２用のプリアンブル系列テーブルを示す。図１６Ｂでは、１つのインデックスに対して２つの系列番号が割り当てられている。具体的には、インデックス１に系列番号ｒ＝１、ｒ＝Ｎ−１が対応付けられ、インデックス２に系列番号ｒ＝２、ｒ＝Ｎ−２が対応付けられている。インデックス３以降も同様に系列番号ｒが対応付けられている。
【０１０７】
図１６Ｃは、割当系列数４用のプリアンブル系列テーブルを示す。図１６Ｃでは、１つのインデックスに対して４つの系列番号が割り当てられている。具体的には、インデックス１に系列番号ｒ＝１、ｒ＝２、ｒ＝Ｎ−１、ｒ＝Ｎ−２が対応付けられ、インデックス２に系列番号ｒ＝３、ｒ＝４、ｒ＝Ｎ−３、ｒ＝Ｎ−４が対応付けられている。インデックス３以降も同様に系列番号ｒが対応付けられている。割当系列数８以降も同様に、インデックスと割当系列数分の系列番号が対応づけられる。
【０１０８】
系列割当部５２では、セルにＺＣ系列番号を割り当てる際に、割当系列数Ｋ及び割当数に対応するプリアンブル系列テーブル（図１６）に従って、系列を割り当て、割り当てた系列のインデックスを通知部５３に通知する。
【０１０９】
通知部５３では、系列割当部５２から通知されたインデックスを割当対象となるＢＳ１００に通知する。ＢＳ１００の報知チャネル生成部１０２は、通知部５３から通知されたインデックスを含む報知チャネルを生成する。
【０１１０】
図１７は、報知チャネル生成部１０２において生成される報知チャネル３３０の構成を示す図である。報知チャネル生成部１０２では、図１６に示したテーブルを記憶するプリアンブル系列テーブル記憶部１１３を参照し、割当数Ｋに対応するインデックス種別３３２１と割り当てられたインデックス番号３３２２とを合わせた割当系列情報３３２が生成される。割当系列情報３３２は報知チャネル３３０に含められ、各ＵＥへ通知される。
【０１１１】
ここで、インデックス種別３３２１のビット数Ｚは、図１８に示すように、割当数Ｋが１，２，４，８，…と増加するごとに、１ｂｉｔ、２ｂｉｔｓ、３ｂｉｔｓ、４ｂｉｔｓ、…と増加する。また、図１８に示すように、割当系列情報の先頭ビットが１の場合、割当数１用のプリアンブル系列テーブルを示し、先頭の１ビット以降の割当系列情報のビットはインデックス番号であることを示す。また、割当系列情報の先頭ビットが０１の場合、割当数２用のプリアンブル系列テーブルを示し、先頭の２ビット以降の割当系列情報のビットはインデックス番号であることを示す。以降、同様に割当系列情報の最初にビット“１”が現れた位置がインデックス種別を表し、以降の割当系列情報のビットはインデックス番号であることを示す。
【０１１２】
なお、図１８において、最初にビット“１”が現れた位置がインデックス種別を表す例を示したが、ビット“０”と“１”は逆になっていてもよく、最初にビット“０”が現れた位置がインデックス種別を表すようにしてもよい。
【０１１３】
一方、インデックス番号のビット数は、割当数Ｋが１，２，４，…と増加するにつれて、１ビットずつ減少する。例えば、各プリアンブル系列テーブルに対して、図１６に示すようにＺＣ系列数を重複して割り当てる場合、系列数をＮとすると、Ｋ＝１，２，４，８，１６，３２，６４に対応する各テーブルのインデックス数Ｎ１，Ｎ２，Ｎ４，…，Ｎ６４は、それぞれ、Ｎ１＝Ｎ，Ｎ２＝ｆｌｏｏｒ（Ｎ／２），Ｎ４＝ｆｌｏｏｒ（Ｎ／４），…，Ｎ６４＝ｆｌｏｏｒ（Ｎ／６４）となるため、インデックス番号の通知に必要なビット数は、Ｋ＝１の場合をＸｂｉｔとすると、Ｋ＝２，４，８，１６，３２，６４ではそれぞれ、Ｘ−１ｂｉｔ，Ｘ−２ｂｉｔ，Ｘ−３ｂｉｔ，Ｘ−４ｂｉｔ，Ｘ−５ｂｉｔ，Ｘ−６ｂｉｔとなる。
【０１１４】
しがたって、インデックス種別３３２１とインデックス番号３３２２を合わせた割当系列情報３３２のビット数は、割当数Ｋにかかわらず一定（Ｘ＋１ｂｉｔ）にできる。このように決定されたインデックス種別と、インデックス種別に対応付けられたプリアンブル系列テーブルにおける一つのインデックス番号は、ＢＳ１００から報知チャネルによってＵＥ１５０に報知される。ＵＥ１５０側でも、図１６及び図１８に示すテーブルと同じテーブルをプリアンブル系列テーブル記憶部１６１に備え、通知されたインデックス種別と、インデックス種別に対応付けられたプリアンブル系列テーブルにおける一つのインデックス番号を用いて、利用可能な系列番号を特定することができる。ＵＥ１５０は、特定した利用可能な系列番号の中から一つの系列番号を選択してプリアンブル系列を含めてＲＡバーストを生成し、ＲＡスロットで送信する。
【０１１５】
以下、ＺＣ系列長Ｎ＝８３９、系列数が８３８、１つのセルに割り当て可能な最大系列数を６４とし、割当系列数を図１６に示すように制限した場合、上述した割当系列情報の通知方法による効果について説明する。
【０１１６】
割当系列数Ｋを１，２，４，８，１６，３２，６４に制限するため、割当系列数毎のテーブル数は７つである。系列長が８３９の素数であるため、系列数は８３８であり、割当系列数Ｋ＝１，２，４，８，１６，３２，６４に対応する各テーブルのインデックス番号に要するビット数は、それぞれ１０ｂｉｔｓ、９ｂｉｔｓ、８ｂｉｔｓ、７ｂｉｔｓ、６ｂｉｔｓ、５ｂｉｔｓである。一方、インデックス種別（テーブル種別）の通知に要するビット数は、割当系列数Ｋ＝１，２，４，８，１６，３２，６４の各テーブルに対して、１ｂｉｔ、２ｂｉｔｓ、３ｂｉｔｓ、４ｂｉｔｓ、５ｂｉｔｓ、６ｂｉｔｓとなる。したがって、割り当てた系列番号及び系列数の通知に必要なビット数は常に１１ｂｉｔｓとなる。
【０１１７】
ここで、任意の系列番号を１つのセルに割り当てる場合は、割り当てた系列毎にインデックス通知のために１０ｂｉｔｓを要し、最大割当系列数が６４であるとすると、最大６４０ｂｉｔｓ（＝１０ｂｉｔｓ×６４系列）の通知が必要となるため、実施の形態４の通知方法を適用した場合、シグナリングビット数を最大６４０ｂｉｔｓから１１ｂｉｔｓに低減でき、シグナリング量を最大９８．３％削減することができる。
【０１１８】
このように実施の形態４によれば、ＺＣ系列相関処理の演算量を低減しつつ、さらに報知チャネルで通知する割当系列情報のシグナリング・オーバーヘッドを低減することができる。
【０１１９】
なお、図１６では、各プリアンブル系列テーブルは、ＺＣ系列番号ａ，Ｎ−ａの順序はａが昇順に配置される構成を例に示したが、降順であっても、ランダムであってもよい。また、各プリアンブル系列テーブルの系列番号順序もそれぞれ、異なる系列順序であってもよい。
【０１２０】
（実施の形態５）
本発明の実施の形態５に係る無線リソース管理部、ＢＳ及びＵＥの構成は、実施の形態１における図１、図２及び図３に示した構成と同様であるため、図１、図２及び図３を援用して説明する。
【０１２１】
図１９は、本発明の実施の形態５に係るプリアンブル系列テーブルを示す図である。図１９では、あらかじめ設定される割当系列のそれぞれの組み合わせに対して、１つずつインデックス番号を割り当てている。例えば、ＺＣ系列数をＮ−１とした場合、インデックス番号１からＮ−１には、それぞれ１からＮ−１のいずれかの系列番号を割り当てる。インデックス番号Ｎからｉまでは、２つの系列番号の組を割り当てる。インデックス番号ｉ＋１からｊまでは、４つの系列番号の組を割り当てる。インデックス番号ｊ＋１以降も同様に、あらかじめ設定された割当系列の組み合わせを割り当てる。２つの系列を組として１つのインデックス番号に対応付ける部分に必要なインデックス番号の数Ｎ２は、Ｎ２＝ｉ−Ｎ＝ｆｌｏｏｒ（Ｎ／２）となる。同様に、Ｘ個の系列を組として１つのインデックス番号に対応付ける部分に必要なインデックス番号の数ＮｘはＮｘ＝ｆｌｏｏｒ（Ｎ／Ｘ）となる。
【０１２２】
系列割当部５２では、図１９に示すプリアンブル系列テーブルに従って、割当数に対応した系列組を割り当てる。通知部５３では、系列割当部５２によって割り当てられたＺＣ系列を割当対象となるＢＳ１００に通知する。ＢＳ１００の報知チャネル生成部１０２は、通知部５３から通知された割当系列情報を含む報知チャネルを生成する。
【０１２３】
図２０は、報知チャネル生成部１０２において生成される報知チャネル３４０の構成を示す図である。報知チャネル生成部１０２では、図１９に示したテーブルを記憶するプリアンブル系列テーブル記憶部１１３を参照し、通知部５３より通知された割当系列番号の組みに対応するインデックス番号３４２１を含む報知チャネル３４０を生成し、各ＵＥへ通知する。
【０１２４】
このように、実施の形態５では、割当系列番号とインデックスとの対応関係を示すプリアンブル系列テーブルであって、インデックスは、１つの系列番号に対応付けられたインデックス番号と、系列番号ｒ＝ａと系列番号ｒ＝Ｎ−ａを組として複数の系列番号に対応付けられたインデックス番号とから構成される。ＢＳ１００は、図１９に示すプリアンブル系列テーブルを記憶する。
【０１２５】
ここで、系列長がＮの場合は、単一の系列番号に対応付けられたインデックスの数Ｎ１はＮ−１であり、２つの系列番号に対応付けられたインデックスの数Ｎ２はＮ２＝ｆｌｏｏｒ（Ｎ／２）である。同様に、Ｘ個の系列番号に対応付けられたインデックスの数ＮｘはＮｘ＝ｆｌｏｏｒ（Ｎ／Ｘ）となる。このように、図１９に示すプリアンブル系列テーブルでは１つのインデックス番号に対応付けられる割当系列数が多い部分ほど、インデックス番号の数が少なくなる。
【０１２６】
ＢＳ１００は、記憶した図１９のテーブルを参照し、割り当てる系列及び系列数から、対応するインデックス番号を決定する。決定された１つのインデックス番号は、ＢＳ１００から報知チャネルによってＵＥ１５０に報知される。ＵＥ１５０側でも、図１９に示すテーブルと同じテーブルをプリアンブル系列テーブル記憶部１６１に備え、通知された１つのインデックス番号及び割当数情報を用いて、利用可能な系列番号を特定することができる。
【０１２７】
実施の形態５の通知方法では、あらかじめシステムで利用する系列番号の組み合わせのみを設定するため、例えば、セルサイズが大きい、すなわち、割当系列数が多いセル数は、セルサイズの小さい、すなわち、割当系列数の少ないセル数ほど多くないため、系列番号の組数を減らすことも可能である。
【０１２８】
一方で、例えば、割当系列数の少ない系列番号の組数は多く得られるため（割当系列数１はＮ組得られる）、系列番号の組数が多く得られる割当系列数に対して、系列番号の組数を減らすことも可能である。
【０１２９】
したがって、実際に必要な系列番号の組み合わせ数のみを通知するため、インデックス番号の通知に用いるビット数を無駄なく利用でき、報知チャネルで通知する割当系列情報のシグナリング量を低減することができる。
【０１３０】
このように実施の形態５によれば、ＺＣ系列相関処理の演算量を低減しつつ、報知チャネルで通知する割当系列情報のシグナリング・オーバーヘッドを低減することができる。
【０１３１】
（実施の形態６）
実施の形態１では、プリアンブル系列テーブルに従って、スタート・インデックス番号と割当系列数を通知する通知方法を示したが、テーブルの系列の並び方に関しては言及していなかった。
【０１３２】
ここで、高速に移動するＵＥが存在し、異なる巡回シフト量の巡回シフト系列を同一セル内で使用する場合、受信信号に対して、高速移動時のドップラー広がり（Doppler spread）や周波数オフセット（Frequency offset）が加わるため、同一ＺＣ系列から生成される別の巡回シフト系列の検出範囲、すなわち、誤ったタイミング位置に高い相関値が生じる。一方、期待される検出範囲の相関値が小さくなる。
【０１３３】
異なる巡回シフト系列の検出範囲に高い相関値が生じると、異なる巡回シフト系列に対する誤検出確率が増加する。また、期待する検出範囲の相関値が小さくなると、送信されたプリアンブルの検出確率が低くなる。
【０１３４】
図２１は、高速移動時のＵＥから送信されるＺＣ系列の相関値と巡回シフト量Δの関係を示す図である。図２１に示すように、高速移動時のＵＥから送信されたプリアンブルに対する相関値は、静止したＵＥから送信されるドップラー広がりや周波数オフセットが無い場合に検出される相関値のタイミングに対して、後述するＺＣ系列の系列番号に応じたｘのタイミング分、＋方向及び−方向に誤ったタイミングに相関値のピークが発生する。一般に相関値のピークの大きさは、ＵＥの移動速度が速くなるにつれて、誤相関値のピークが大きくなる一方、正しいタイミングのピーク値は小さくなる。従って設定した巡回シフト量Δの値がｘよりも大きい場合（Δ＞ｘ）、基地局におけるピーク検出処理において誤検出が生じるため、巡回シフト量Δはｘよりも小さく設定する必要がある（Δ＜ｘ）。
【０１３５】
従来の通知方法では、誤ったタイミングに生じる相関値の範囲に、別の巡回シフト系列の検出範囲、及び、その別の巡回シフト系列の誤ったタイミングに生じる相関値の範囲が重ならないように、誤検出などが起きない系列番号及び巡回シフト量を個別に選び出し、通知することが可能であるが、本発明の通知方法では個別に通知することができない。
【０１３６】
そこで、使用する系列が誤ったタイミングに生じる相関値の位置と正しいタイミングの位置の差が系列番号に依存するという点、また、相関値が生じる範囲がセル半径に依存するため、利用可能な系列番号がセル半径により制限されることに着目したプリアンブル系列テーブル設定の例を示す。
【０１３７】
実施の形態６に係る無線リソース管理部、ＢＳ及びＵＥの構成は、実施の形態１における図１、図２及び図３に示した構成と同様であるため、図１、図２及び図３を援用して説明する。
【０１３８】
図２２は、本発明の実施の形態６に係るプリアンブル系列テーブルを示す図である。図２２は、系列長Ｎが３７（素数）の場合における系列番号ｒに対して、１つずつインデックス番号を割り当てている。なお、系列長Ｎは３７に限定されない。
【０１３９】
上記実施の形態で記載の式（１）〜（５）のように時間領域で定義されるＺＣ系列を適用する場合、ｕ＝１，２，３，…，Ｎ−１に対して次の式（６）を満たす系列番号ｒの順序でインデックスを割り当てたプリアンブル系列テーブルとする。
【数６】
2011254504.tif 000008
【０１４０】
図２２の系列長Ｎが３７の場合では、インデックス１に系列番号ｒ＝１が、インデックス２に系列番号ｒ＝１８が対応付けられている。インデックス３以降も同様に式(６)を満たすｒが対応付けられている。なお、系列番号ｒの順序は、ｕ＝Ｎ−１，Ｎ−２，…，３，２，１に対して式（６）を満たす順序であってもよい。
【０１４１】
系列割当部５２では、図２２に示すプリアンブル系列テーブルに従って、割当数に対応した系列組の割り当てを行う。通知部５３では、系列割当部５２によって割り当てられたＺＣ系列を割当対象となるＢＳ１００に通知する。ＢＳ１００の報知チャネル生成部１０２は、通知部５３から通知された割当系列情報を含む報知チャネルを生成する。
【０１４２】
報知チャネル生成部１０２では、図２２に示すテーブルを記憶するプリアンブル系列テーブル記憶部１１３を参照し、スタート・インデックス番号３０２１と割り当てられたＺＣ系列の割当系列数３０２２を合わせた割当系列情報３０２を生成する。割当系列情報は、報知チャネル３００に含められ、各ＵＥへ通知される。
【０１４３】
このように決定された１つのインデックス番号及び割当数は、ＢＳ１００から報知チャネルによってＵＥ１５０に報知される。ＵＥ１５０側でも、図２２に示すテーブルと同じテーブルをプリアンブル系列テーブル記憶部１６１に備え、通知された１つのインデックス番号及び割当数情報を用いて、利用可能な系列番号を特定する。
【０１４４】
実施の形態６の通知方法では、ＢＳ１００は式（６）により設定されるプリアンブル系列テーブルに基づいて、連続するインデックス番号の系列を同一セルに割り当てる。このテーブルを用いれば、図２３に示すように、誤ったタイミングに生じる相関値の位置と正しいタイミングに生じる相関値の位置との相対差ｘが＋／−１、＋／−２，…，＋／−１８，−／＋１８，−／＋１７，…，−／＋１の順序で並ぶ。
【０１４５】
また、基地局１００において、プリアンブルの誤検出が発生しないようにするために、正しいタイミングに生じる相関値及び誤ったタイミングに生じる相関値のそれぞれに対する巡回シフト量Δが、互いに重ならないように設定する必要がある。つまり、巡回シフト量Δ＜相対差ｘを満たす必要がある。したがって、図２３に示すように、適用可能な巡回シフト量Δもそれぞれ、１，２，…，１８，１８，１７，…，１となる。
【０１４６】
一方、所要巡回シフト量Δは、そのセルがサポートするＢＳ１００とＵＥ１５０間の往復分の伝搬遅延時間（TPropagationDelay）の最大想定値と、伝送路のマルチパス遅延時間の最大想定値（TDelaySpread）との和よりも大きくなるように設定される。つまり、所要巡回シフト量Δ＞２×TRoundTripDelay＋TDelaySpreadとなるように設定される。したがって、このセルに適用可能な系列番号は、相対差ｘがｘ＞シフト量Δ＞２×TRoundTripDelay＋TDelaySpreadを満たす系列に限られる。
【０１４７】
図２３のプリアンブル系列テーブルでは、適用可能な巡回シフト量Δ（＜ｘ）が昇順および降順に並ぶ、つまり、利用可能なセル半径に比例した順序で系列番号が並ぶため、連続でＮ個の系列を割り当てる場合であっても、セル半径の制約により利用できない系列が含まれないように割り当てることが容易となる。
【０１４８】
また、誤ったタイミングに生じる相関値の位置と正しいタイミングの位置との差が昇順（インデックス番号１〜ｆｌｏｏｒ（Ｎ／２））、降順（インデックス番号ｆｌｏｏｒ（Ｎ／２）〜Ｎ−１）でインデックス番号に割り当てられるため、相関値が生じる範囲が近い関係にある系列番号ｒを割り当てることが可能であり、１つのＺＣ系列から生成可能な巡回シフト系列数が最大になるような系列割り当てが可能であり、系列の消費量を軽減できる。
【０１４９】
このように実施の形態６によれば、報知チャネルで通知する割当系列情報のシグナリング・オーバーヘッドを低減しつつ、高速に移動するＵＥが存在するセルでも、利用可能な系列割り当てのみを無駄なく通知することができる。
【０１５０】
なお、プリアンブル系列テーブルは、ｕに対して式（７）を満たすｒの順序としてもよい。図２４は、系列長Ｎ＝３７の場合の式（７）を満たすプリアンブル系列テーブルの例である。つまり、インデックス番号１に対して、ｕ＝１に対応する系列番号ｒ＝Ｎ−１，インデックス番号２に対して、ｕ＝Ｎ−１に対応する系列番号ｒ＝１、インデックス番号３以降も同様に、式（７）を満たすｕに対する系列番号ｒを割り当てる。
【数７】
2011254504.tif 000009
【０１５１】
この場合、系列番号ｒ＝ａとｒ＝Ｎ−ａの組は、対応可能なセル半径及び誤ったタイミングに生じる相関値の位置などが同一であるため、高速に移動するＵＥ１５０が存在するセルでも、さらに利用可能な系列割り当てのみを無駄なく通知することができる。また、式（７）において、ｕ＝ｂとｕ＝Ｎ−ｂの順序は適用可能な巡回シフト量Δが同じであるためｕ＝ｂ，ｕ＝Ｎ−ｂあるいはｕ＝Ｎ−ｂ，ｕ＝ｂの順のいずれの順序であってもよい。
【０１５２】
また、上記実施の形態１から５に記載の系列番号ａ及びＮ−ａに対するａの順序に対して式（６）、式（７）を適用する構成としてもよい。
【０１５３】
また、上式（６）は以下の式（８）であってもよい。
【数８】
2011254504.tif 000010
【０１５４】
また、上記各実施の形態では、ＺＣ系列を用いて説明したが、本発明はこれに限らず、ＧＣＬ系列を用いてもよい。
【０１５５】
また、式（１）から（５）に記載のＺＣ系列及びＧＣＬ系列のｅｘｐ内の符号は−ｊであっても＋ｊであってもよい。
【０１５６】
また、上各記実施の形態では、割当系列数、あるいは、インデックス数を通知する構成を示したが、巡回シフト系列を併用するシステムにおいては、セルで利用するＲＡプリアンブル数がＢＳとＵＥ間で予め既知の場合、割当系列数、あるいは、インデックス数を通知する代わりに、巡回シフト系列数を通知する構成であってもよい。これは、セルで利用するプリアンブル数÷巡回シフト系列数とすることで、割当系列数、あるいは、インデックス数を取得可能なためである。
【０１５７】
さらに、巡回シフト系列を併用するシステムにおいては、セルで利用するＲＡプリアンブル数がＢＳとＵＥ間で予め既知の場合、割当系列数、あるいは、インデックス数を通知する代わりに、巡回シフト量Δを通知する構成であってもよい。これは、系列長Ｎ及び巡回シフト量Δより得られる巡回シフト系列数より、割当系列数、あるいは、インデックス数を取得可能なためである。
【０１５８】
さらに、巡回シフト系列を併用するシステムにおいては、セルで利用するＲＡプリアンブル数がＢＳとＵＥ間で予め既知の場合、割当系列数、あるいは、インデックス数を通知する代わりに、セルサイズ（半径）を通知する構成であってもよい。これは、セルサイズ（半径）から所要巡回シフト量Δを得ることにより、割当系列数、あるいは、インデックス数を取得可能なためである。
【０１５９】
また、上記各実施の形態では、系列番号とインデックスの対応関係はプリアンブル系列テーブルを用いる構成を示したが、系列番号＝ｆ（インデックス番号）のように、系列番号とインデックスの対応関係は式で得られる構成であってもよい。
【０１６０】
上記各実施の形態では、本発明をハードウェアで構成する場合を例にとって説明したが、本発明はソフトウェアで実現することも可能である。
【０１６１】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１６３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６４】
２００７年３月１９日出願の特願２００７−０７１１９４の日本出願に含まれる明細書、図面及び要約書の開示内容は、すべて本願に援用される。
【産業上の利用可能性】
【０１６５】
本発明にかかる移動局装置及び系列生成方法は、１つのセルに割り当てた異なるＺＣ系列又はＧＣＬ系列を基地局から端末に通知する報知チャネルのシグナリング量（ビット数）を低減することができ、例えば、移動体通信システム等に適用できる。
【符号の説明】
【０１６６】
５１  無線リソース管理部
５２  系列割当部
５３  通知部
１００−１〜１００−Ｍ  ＢＳ
１０１  報知チャネル処理部
１０２  報知チャネル生成部
１０３、１０６、１６４  符号化部
１０４、１０７、１６５  変調部
１０５  ＤＬデータ送信処理部
１０８、１６６  多重部
１０９、１６７  送信ＲＦ部
１１０、１５１  アンテナ
１１１、１５２  受信ＲＦ部
１１２、１５３  分離部
１１３  プリアンブル系列テーブル記憶部
１１４  プリアンブル系列検出部
１１５  ＵＬデータ受信処理部
１１６、１５５、１５８  復調部
１１７、１５６、１５９  復号化部
１５４  ＤＬデータ受信処理部
１５７  報知チャネル受信処理部
１６０  報知チャネル処理部
１６１  プリアンブル系列テーブル記憶部
１６２  ＲＡバースト生成部
１６３  ＵＬデータ送信処理部
【図１】
2011254504.tif 000011
【図２】
2011254504.tif 000012
【図３】
2011254504.tif 000013
【図４】
2011254504.tif 000014
【図５】
2011254504.tif 000015
【図６】
2011254504.tif 000016
【図７】
2011254504.tif 000017
【図８】
2011254504.tif 000018
【図９】
2011254504.tif 000019
【図１０】
2011254504.tif 000020
【図１１】
2011254504.tif 000021
【図１２】
2011254504.tif 000022
【図１３】
2011254504.tif 000023
【図１４】
2011254504.tif 000024
【図１５】
2011254504.tif 000025
【図１６】
2011254504.tif 000026
【図１７】
2011254504.tif 000027
【図１８】
2011254504.tif 000028
【図１９】
2011254504.tif 000029
【図２０】
2011254504.tif 000030
【図２１】
2011254504.tif 000031
【図２２】
2011254504.tif 000032
【図２３】
2011254504.tif 000033
【図２４】
2011254504.tif 000034